(57)【要約】【目的】本発明は、引出し、機器等を本体側から引出した時、最大引出し位置で、一旦停止し、更に、引出し、機器等を修理、点検のため本体側より抜き出す必要がある時、所定の操作で抜き出し、その後、再び装着され、移動側レールが収納状態で保持されるスライドレールに関するものであり、簡単な構造で移動側メンバーの装着する容易にする案内機能と、移動メンバーを収納時に保持する保持機能を、一つの部材で同時に得ることが出来るスライドレールを提供することを目的とする。【構成】移動側メンバーを抜き差し可能としたスライドレールにおいて、抜き出された移動側メンバーの装着時、移動側メンバーを案内する案内突部と、移動側メンバーの収納状態を保持する保持部を有する案内支持部材が、移動側メンバーを摺動自在に保持するメンバーの前端部に設けられ、保持部に保持される被保持が、移動側メンバー前端部に形成されているものである。【選択図】  図７
2004187906.tif 000002
【特許請求の範囲】
【請求項１】
移動側メンバーを抜き差し可能としたスライドレールにおいて、抜き出された移動側メンバーの装着時、移動側メンバーを案内する案内突部と、移動側メンバーの収納状態を保持する保持部を有する案内支持部材が、移動側メンバーを摺動自在に保持するメンバーの前端部に設けられ、保持部に保持される被保持部が、移動側メンバー前端部に形成されていることを特徴とするスライドレール。
【請求項２】
案内支持部材は、合成樹脂材にて形成されており、保持部が案内突部に設けられていることを特徴とする請求項１に記載のスライドレール。
【請求項３】
案内突部は、移動側メンバーを摺動自在に保持するメンバーとの間に所定の間隙を有して弾性変位可能に形成され、保持部は案内突部に形成された嵌合凹部からなり、被保持部は、前記嵌合凹部に嵌合する嵌合突部が移動側メンバーに設けられてなることを特徴とする請求項２に記載のスライドレール。
【発明の詳細な説明】
【０００１】
【産業上の利用分野】
本発明は、引出し、機器等を本体側から引出した時、最大引出し位置で、一旦停止し、更に、引出し、機器等を修理、点検等をするため本体側より抜き出す必要がある時、所定の操作で抜き出し、修理、点検等の終了後、再び装着され、移動側メンバーが収納状態で保持されるスライドレールに関するものである。
【０００２】
【従来の技術】
従来、上記スライドレールにおいて、抜き出された移動側メンバーを再び装着する時のガイドとして作用する案内部材を、合成樹脂材より形成し、これを、移動側メンバーを摺動自在に保持するメンバーの前端部に設けていた。（例えば特許文献１参照）
一方、移動側メンバーの不用意な飛び出しを防止する為、収納された移動側メンバーを保持するロック機構を、移動側メンバーを摺動自在に保持するメンバーの後端部に設けていた。（例えば特許文献２参照）
すなわち、移動側メンバーの装着を容易にする案内機能と、移動側メンバーを収納状態に保持する保持機能を同時に得るには、それぞれの目的に対応する部材を別々にスライドレールに取付けなければならず、このため、部材点数が多くなり、取付けに手間がかかり、しかも部材管理も煩雑となり、コストアップの原因となっていた。
【０００３】
【特許文献１】
特開平２００１−２７５７６９号公報
【特許文献２】
特許第２９７８４８５号公報
【０００４】
【発明が解決しようとする課題】
本発明は、上記問題を解決する事を課題とし、簡単な構造で移動側メンバーの装着を容易にする案内機能と、移動側メンバーを収納状態に保持する保持機能を、一つの部材で同時に得ることが出来て、さらに、同一の部材を用いながら、いずれか一方の機能のみを選択出来るスライドレールを提供することを課題とする。
【０００５】
【課題を解決する為の手段】
上記課題を解決する為、本発明が手段とする第１の特徴は、移動側メンバーを抜き差し可能としたスライドレールにおいて、抜き出された移動側メンバーの装着時、移動側メンバーを案内する案内突部と、移動側メンバーの収納状態を保持する保持部を有する案内支持部材が、移動側メンバーを摺動自在に保持するメンバーの前端部に設けられ、保持部に保持される被保持部が、移動側メンバー前端部に形成されているものである
【０００６】
次に本発明が手段とする第２の特徴は、前記第１の特徴に加え、案内支持部材は、合成樹脂材にて形成されており、保持部が案内突部に設けられているものである。
【０００７】
次に本発明が手段とする第３の特徴は、前記第２の特徴に加え、案内突部は、移動側メンバーを摺動自在に保持するメンバーとの間に所定の間隙を有して弾性変位可能に形成され、保持部は案内突部に嵌合凹部を形成してなり、被保持部は、前記嵌合凹部に嵌合する嵌合突部が移動側メンバーに設けられてなるものである。
【０００８】
【実施例】以下、本発明の実施例を図面に基づいて説明する。
図１において、符号１００は、本発明のスライドレールを示し、スライドレール１００は、機器類等の本体側に連結される固定側メンバー１と、固定側メンバー１に対し、ボールリテーナー３に回転自在に保持された複数個のボール３０・・・を介して摺動自在に設けられた移動側メンバー２と、固定側メンバー１の前端部内面に取り付けられた案内支持部材５より構成され、移動側メンバー２の内面所定位置にはストッパー部材６が設けられている。
【０００９】
固定側メンバー１は、金属製の細長条板の短手両端部を外向き円弧状に折り曲げて形成された、内面長手方向（摺動方向）にボール摺動溝を有する上下の折曲縁１１、１１と、基板１２より断面略Ｃ字形に形成されている。
そして、摺動方向の後端部（収納方向端部）に、移動側メンバー２方向に基板１２の一部を折り曲げて突出せしめたリテーナー後端ストッパー１３が形成され、
前端部には移動側メンバー２方向に基板１２を突出せしめたリテーナー前端ストッパー１４（図３に示す。）が形成され、摺動方向前端部（引出し方向端部）内面に案内支持部材５が設けられ、案内支持部材５の前方にストッパー部材６に対応するストッパー突起１５が形成されている。
符号１６・・・は、機器類本体との取付孔を示している。
【００１０】
移動側メンバー２は、固定側メンバー１とほぼ同長で、金属製の細長条板の短手両端部を内向き円弧状に折り曲げて形成された、外面長手方向に（摺動方向）にボール摺動溝を有する上下の折曲縁２１、２１と基板２２より、固定側メンバー１に対向する断面略Ｃ字形で、後端部がやや先細り状に形成されている。
そして、基板２２の後端の内面所定位置にはストッパー部材６が設けられ、固定側メンバー１に対し引出し方向に摺動し、最大引出し位置に達した状態で、ストッパー部材６のストッパー孔６１が前記ストッパー突起１５に係合して停止し、さらに、ストッパー孔６１とストッパー突起１５の係合を解除する事で、固定側メンバー１より抜き出し可能となっている。
符号２６・・・は引出し、あるいは機器との連結孔を示している。
【００１１】
ボールリテーナー３は、帯状金属板にて、前記移動側メンバー２と固定側メンバー１の基板２２、１２間に挿入可能な大きさで、移動側メンバー２の半分程度の長さとし、基板３１と、基板３１の上下両端部よりＬ字形に突出し移動側メンバー２と固定側メンバー１の各上下折曲縁２１、２１、１１、１１間に位置する上下突出縁３２、３２より断面略コ字形に形成され、上下突出縁３２、３２の摺動方向に複数個のボール３０・・・を回転自在に保持している。
そして、移動側メンバー２が最大引出し位置に達した状態で、ボールリテーナー３は前記リテーナー前端ストッパー１４に前端部が当接し、移動側メンバー２が固定側メンバー１に最も収納された状態で、後端がリテーナー後端ストッパー１３当接する。
【００１２】
固定側メンバー１、移動側メンバー２、ボールリテーナー３は上記の如く形成され、リテーナー後端ストッパー１３にボールリテーナー３の後端が当接した状態、すなわち、移動側メンバー２が固定側メンバー１に収納、保持された状態から、移動側メンバー２を引出し方向に摺動させると、ボール３０・・・及びボールリテーナー３は、移動側メンバー２の２分の１の割合で引出し方向に移動し、やがて、最大引出し位置に達した状態（リテーナー３の前端が、リテーナー前端ストッパー１４に当接した状態）で、ストッパー孔６１が前記ストッパー突起１５に係合して、移動側メンバー２の摺動は停止し、さらに、ストッパー孔６１とストッパー突起１５の係合を解除する事で、移動側メンバー２は固定側メンバー１より抜き出し可能となる。
【００１３】
一方、移動側メンバー２を最も引出した状態から収納方向に摺動させると、ストッパー解除案内片６２によって、ストッパー孔６１とストッパー突起１５の係合は自動的に解除され、移動側メンバー２、ボールリテーナー３は収納方向に摺動し、やがて、ボールリテーナー３の後端はリテーナー後端ストッパー１３の内面に当接し、同時に移動側メンバー２は後記する案内支持部材５の作用によって収納方向への摺動を停止する。
以上が、スライドレール１００の基本的な動きである。
【００１４】
案内支持部材５は、図２、図４に示すように、固定側メンバー１の基板１２の前端部に形成された嵌合孔１０に嵌合する嵌合突起５０１を裏面側に有する取付基板５１と、取付基板５１の上下両端部に連設され、移動側メンバー２と固定側メンバー１の上下のボール摺動溝によって形成される間隙に合致する形状で、固定側メンバー１の上下のボール摺動溝内に嵌合する嵌合部５２，５２と、嵌合部５２，５２の前端に連設され、固定側メンバー１の上下のボール摺動溝ととの間に所定の間隙５０、５０を有し、移動側メンバー２のボール摺動溝側に前記嵌合部５２，５２に連続する案内面５３，５３を有する案内突部５４，５４より、合成樹脂材にて一体に形成されている。
【００１５】
そして、案内面５３、５３の前端には、移動側メンバー２の後端部の先細り形状に対応した傾斜案内面５５、５５が形成され、案内面５３、５３の後端には、移動側メンバー２の収納状態を保持する保持部（嵌合凹部）５６、５６が形成される一方、移動側メンバー２の上下の摺動溝前端部に保持部（嵌合凹部）５６、５６に対応する被保持部（嵌合突部）２０、２０が外方に突出して形成されている。
すなわち、固定側メンバー１の上下のボール摺動溝の前端部に、取付基板５１の上下端部を弾性変形させて嵌合部５２，５２を嵌合し、同時に、嵌合突起５０１を嵌合孔１０に嵌合して取付けられた案内支持部材５の前方から、抜き出された移動側メンバー２の後端に形成されたやや先細り状となった部分を差し込んで、案内突部５４，５４の傾斜案内面５５、５５から、案内面５３，５３にボール摺動溝を嵌合させる。
【００１６】
次に、嵌合部５２、５２、ボール３０・・・を、移動側メンバー２の摺動溝と固定側メンバー１の摺動溝間に嵌合させながら、移動側レール２を固定側メンバー１内に順次摺動させる。
そして、移動側メンバー２の被保持部（嵌合突部）２０、２０が、案内突部５４、５４の傾斜案内面５５、５５に達すると、被保持部（嵌合突部）２０、２０が、案内突部５４，５４間を押し広げるように弾性変位させながら移動し、保持部（嵌合凹部）５６、５６に達すると、案内突部５４，５４は元の位置に復帰し、保持部（嵌合凹部）５６、５６と被保持部（嵌合突部）２０、２０は嵌合する。
【００１７】
この状態で、案内支持部材５の嵌合部５２、５２は、固定側メンバー１の摺動溝と移動側メンバー２の摺動溝間に蜜に嵌合しているので、被保持部（嵌合突部）２０、２０は嵌合部５２，５２間を押し広げることが出来ず、移動側メンバー２の摺動は停止し、固定側メンバー１に移動側メンバー２は収納状態を保持される。
【００１８】
尚、実施例では、固定側メンバー１と移動側メンバー２でスライドレールを構成しているが、案内支持部材５が取付けられるメンバーは、機器等と連結されて機器本体から引き出される移動側メンバーを摺動自在に保持するメンバーであればよく、固定側メンバーに限定されるものではない。
【００１９】
すなわち、図８に示すように、機器本体と連結される固定側メンバー８１、固定側メンバー８１と所定範囲で摺動自在とした中間メンバー８２、中間メンバー８２に抜き差し自在に摺動し、機器類と連結される移動側メンバー８３、各メンバー８１、８２、８３の上下摺動溝内に、ボールリテーナー８４、８５を介して回転自在に設けられる複数個のボール８０・・・から構成されるスライドレール８００にあっては、案内支持部材５は中間メンバー８２の前端部に取付けられることとなる。
【００２０】
【発明の効果】
請求項１に記載の発明によれば、移動側メンバーの装着を容易にする案内機能と、移動側メンバーを収納状態に保持する保持機能を、一つの部材で得ることができるので、部材点数が削減でき、取付けにかかる手間が減り、しかも部材管理も容易になり、簡単な構造で安価に製作出来る。
請求項２に記載の発明によれば、上記効果に加え、案内支持部材は、合成樹脂材にて形成され、保持部が案内突部に設けられているので、加工が簡単で、より安価に製作できる。
請求項３に記載の発明によれば、案内突部は、弾性変位可能に形成され、保持部は案内突部に形成された嵌合凹部からなり、被保持部は、前記嵌合凹部に嵌合する嵌合突部が移動側メンバーに設けられて構成されているので、移動側メンバーを抜き差ししないスライドレールにも、又、移動側メンバーに被保持部を設けなければ、保持機能を有しないスライドレールにも案内支持部材を適用することができるので、汎用性が非常に優れている。
【図面の簡単な説明】
【図１】本発明のスライドレールの斜視図
【図２】案内支持部材の斜視図
【図３】移動側メンバーを抜き出した状態の正面図
【図４】図３のＡ−Ａ線断面図
【図５】図３のＢ−Ｂ線断面図
【図６】本発明のスライドレールの側面図
【図７】図６のＣ−Ｃ線断面図
【図８】本発明の他の実施例を示す側面図
【符号の説明】
１              固定側メンバー
１１            折曲縁
１２            基板
１００          スライドレール
２              移動側レール
２０            被保持部（嵌合突部）
２１            折曲縁
２２            基板
３              ボールリテーナー
３０            ボール
５              案内支持部材
５０            間隙
５１            取付基板
５２            嵌合部
５４            案内突部
５６            保持部（嵌合凹部）
【図１】
2004187906.tif 000003
【図２】
2004187906.tif 000004
【図３】
2004187906.tif 000005
【図４】
2004187906.tif 000006
【図５】
2004187906.tif 000007
【図６】
2004187906.tif 000008
【図７】
2004187906.tif 000009
【図８】
2004187906.tif 000010